(57)【要約】【課題】容器本体内に喫食用具や調味類を衛生的に且つ調理の際に邪魔にならないで収納できて、しかも保温時や湯戻しの間に熱が逃げることを防止できるようにした食品容器を提供する。【解決手段】本発明の食品容器１は、開口部３ａを有し、食品を収容する容器本体３と、容器本体３の開口部３ａを開封可能に封止する蓋５と、容器本体３の開口部３ａ内に着脱可能に支持された中蓋４とを備えた。中蓋４には喫食用具のフォーク６及び調味類のうち少なくとも一方が載置されている。【選択図】図１
2014196138.tif 000002
【特許請求の範囲】
【請求項１】
食品容器であって、
開口部を有し、食品を収容する容器本体と、
前記容器本体の前記開口部を開封可能に封止する蓋と、
前記容器本体の前記開口部内に着脱可能に支持された中蓋とを備え、
前記中蓋には喫食用具及び調味類のうち少なくとも一方が載置されている
ことを特徴とする食品容器。
【請求項２】
請求項１に記載された食品容器であって、
前記中蓋は底面と、外側に傾斜するテーパ状の周面部とで形成されており、
前記底面には前記喫食用具及び前記調味類のうち少なくとも一方の動きを規制するための１または複数の凸部が形成されている
ことを特徴とする食品容器。
【請求項３】
請求項２に記載された食品容器であって、
前記凸部は前記中蓋の前記周面部に間隔を開けて少なくとも３個設けられ、他の前記中蓋は前記凸部に載置されてスタッキング可能である
ことを特徴とする食品容器。
【請求項４】
請求項２または３に記載された食品容器であって、
前記中蓋の底面には、前記中蓋を前記容器本体から取り出す時に把持可能な中央突起が設けられている
ことを特徴とする食品容器。
【請求項５】
請求項２から請求項４のいずれか一項に記載された食品容器であって、
前記中蓋の前記周面部は、
前記底面から上端開口に向けて外側に傾斜する第一テーパ面と、
前記第一テーパ面の上端から拡径する段差部と、
前記段差部から前記上端開口に向けて前記第一テーパ面より小さい角度で傾斜する第二テーパ面とを有しており、
前記中蓋は前記段差部でスタッキング可能である
ことを特徴とする食品容器。
【請求項６】
請求項２から請求項４のいずれか一項に記載された食品容器であって、
前記中蓋の前記周面部の前記上端開口にはフランジ部が形成され、
前記フランジ部は、前記容器本体の前記開口部の内側に位置する
ことを特徴とする食品容器。
【発明の詳細な説明】
【技術分野】
【０００１】
本発明は、即席食品等の食品を容器本体内に封入し、喫食するときに熱湯を容器本体内に注湯して食品を湯戻しするための食品容器に関する。
【背景技術】
【０００２】
従来、乾燥麺や乾燥米等を容器本体に封入した即席食品は、例えば、特許文献１に記載されているように、乾燥麺や乾燥米等と共にかやく類やスープ等が容器内に収納され、シート状の蓋で封止されている。また、容器本体内において、乾燥麺や乾燥米等を喫食するための喫食用具としてフォークやスプーン等が折り畳まれて収納されている食品容器が知られている。
そして、喫食に際しては、即席食品の容器本体の蓋を開封して、フォークを容器の外に取り出した後、乾燥麺または乾燥米やかやく類やスープ等の袋を開封して容器本体内に投入して湯を注いで蓋をする。所定時間経過後に蓋を開封してフォークで湯戻しされた麺や米等をほぐして喫食するようにしている。ここで、湯戻しとは、乾燥麺又は乾燥米に水や熱湯を吸収させて喫食可能な状態にすることを言う。
【先行技術文献】
【特許文献】
【０００３】
【特許文献１】実用新案登録第３０２５３８６号公報
【発明の概要】
【発明が解決しようとする課題】
【０００４】
ところで、従来の上述した即席食品では、容器本体内に収容されたフォークやスプーン等を置く場所がない場合には、手で持ちながら容器本体内の乾燥麺または乾燥米やかやく類やスープ等の袋の開封と湯の注入等の調理をしなければならず煩雑であった。
また、乾燥麺または乾燥米やかやく類やスープ等の薬味類が予め袋に区分けされていない場合には、フォークやスプーン等の喫食用具は容器本体には含まれていないものが多かった。このような場合には、別にフォークや箸等を用意する必要があり、これも面倒であった。
また、容器本体に湯を投入して蓋を閉めた後、麺類がほぐれるまで数分待つ間、蓋が湯の熱で一部剥がれて熱が逃げることがあり、保温性が十分でなかった。
【０００５】
本発明は、このような実情に鑑みて、容器本体内に喫食用具や調味類を衛生的に且つ調理の際に邪魔にならないで収納できて、しかも保温時や湯戻しの間に熱が逃げることを防止できるようにした食品容器を提供することを目的とする。
【課題を解決するための手段】
【０００６】
本発明による食品容器は、開口部を有し、食品を収容する容器本体と、前記容器本体の前記開口部を開封可能に封止する蓋と、前記容器本体の前記開口部内に着脱可能に支持された中蓋とを備え、前記中蓋には喫食用具及び調味類のうち少なくとも一方が載置されている。
本発明による食品容器は、食品を収容した容器本体の開口部に中蓋を支持させ、この中蓋内に喫食用具や調味類を載置させて蓋で封止するようにしたから、食品と喫食用具や調味類とが別個に収容されていて衛生的である。更に、調理に際して中蓋を取り外し、湯を容器本体内の食品に注入した後、開口部に中蓋を設置することで容器本体を封止させて食品の加温（湯戻し）や蒸らし等の調理を行うことができる。更に容器本体に蓋をして封止させてもよい。なお、調味類とは袋入りスープや薬味類や加薬類等であり、麺類やごはん等以外の食品を含んでいる。
【０００７】
本発明の一態様の食品容器においては、前記中蓋は底面と、外側に傾斜するテーパ状の周面部とで形成されており、前記底面には前記喫食用具及び前記調味類のうち少なくとも一方の動きを規制するための１または複数の凸部が形成されていることが好ましい。
中蓋の底面に調味類やフォークなどの喫食用具を載置すると、１または複数の凸部に喫食用具や調味類が当接するため、食品容器の運搬時や保管時等に喫食用具や調味類が動きにくく雑音が生じたり破損したりすることを抑制できる。
【０００８】
本発明の一態様の食品容器においては、前記凸部は前記中蓋の前記周面部に間隔を開けて少なくとも３個設けられ、他の前記中蓋は前記凸部に載置されてスタッキング可能であることが好ましい。
中蓋の底面に設けた凸部にフォークなどの喫食用具や調味類が当接することで、喫食用具や調味類が動きにくくなり、しかも、複数の中蓋をまとめてスタッキング（重ねる）する際、凸部に上側の中蓋の底面が載置されて重ね合わせた中蓋同士がはまり込まないように規則正しく積層させることができる。
【０００９】
本発明の一態様の食品容器においては、前記中蓋の底面には、前記中蓋を前記容器本体から取り出す時に把持可能な中央突起が設けられていることが好ましい。
調理に際し、蓋を開封して中蓋の中央の突起部をつまんで持ち上げれば、喫食用具や調味類を持ち上げなくても容器本体内に湯を注入することができ、さらに、注湯後に中蓋を容器本体に戻す場合にも突起部をつまんで持ち上げることで、同様に、喫食用具や調味類を持ち上げる必要がなくなる。
【００１０】
本発明の一態様の食品容器においては、前記中蓋の前記周面部は、前記底面から上端開口に向けて外側に傾斜する第一テーパ面と、前記第一テーパ面の上端から拡径する段差部と、前記段差部から前記上端開口に向けて前記第一テーパ面より小さい角度で傾斜する第二テーパ面とを有しており、前記中蓋は前記段差部でスタッキング可能であることが好ましい。
ここで、第一テーパ面より小さい角度で傾斜する第二テーパ面とは、中蓋の側面図において、中蓋の鉛直方向に対する第一テーパ面の傾斜角度よりも、中蓋の鉛直方向に対する第二テーパ面の傾斜角度が小さいことを意味する。
中蓋を容器本体に挿入すると、容器本体の内側面に中蓋の段差部が当接して保持され、その下側に食品を収納した空間を形成する。また、中蓋のスタッキングに際して底面の凸部だけでなく、周面部の上端開口に上の中蓋の段差部が載置されて積層させることで、中蓋の集積と取り外しが容易になる。
【００１１】
本発明の一態様の食品容器においては、前記中蓋の前記周面部の前記上端開口にはフランジ部が形成され、前記フランジ部は、前記容器本体の前記開口部の内側に位置することが好ましい。
中蓋の周面部の上端開口にフランジ部を設けたことで、容器本体に中蓋を着座させる際、容器本体の開口部にフランジ部が当接して係止され、安定して保持できる。
【発明の効果】
【００１２】
本発明による食品容器は、食品を収容した容器本体の開口部内に中蓋を載置させ、この中蓋内に前記喫食用具及び前記調味類のうち少なくとも一方を載置させたから、食品と前記喫食用具及び前記調味類のうち少なくとも一方が容器本体と中蓋に別個に収容されて衛生的である。更に、湯を容器本体内の食品に注入して開口部に中蓋を設置することで封止させて食品の加温や蒸らし（湯戻し）が十分行え、加温時に喫食用具を手で持つ必要もなく邪魔にならない。
【００１３】
また、中蓋は底面とテーパ状の周面部とで形成され、底面に前記喫食用具及び前記調味類のうち少なくとも一方の動きを規制するための１または複数の凸部が形成されている。このため、中蓋の底面にフォークなどの喫食用具を、例えば、折り曲げ状態等で載置すると、凸部に前記喫食用具及び前記調味類のうち少なくとも一方が当接し、食品容器の運搬時や保管時等に前記喫食用具及び前記調味類のうち少なくとも一方が動きにくく雑音が生じたり破損したりすることを防止できる。
【図面の簡単な説明】
【００１４】
【図１】本発明の実施形態による即席食品容器の蓋を分離して示す中央断面図である。
【図２】図１に示す中蓋の平面図である。
【図３】図１に示す中蓋の側面図である。
【図４】中蓋のスタッキング状態を示す部分正面図である。
【図５】中蓋に折り曲げたフォークを載置した状態を示す平面図である。
【図６】（ａ）はフォークの折り曲げ状態を示す正面図と側面図、（ｂ）はフォークを組み立てた正面図である。
【図７】変形例による中蓋の平面図である。
【図８】図７に示す中蓋の側面図である。
【発明を実施するための形態】
【００１５】
以下、本発明の実施形態について図１〜図６を参照して詳細に説明する。
本実施形態による食品容器は、例えば、乾燥麺や乾燥米等の即席麺が収納された即席食品容器１である。
本発明の実施形態による即席食品容器１は、図１に示すように、即席麺等の食品２を収容する紙製の容器本体３と、容器本体３の開口部３ａに収容された中蓋４と、容器本体３の開口部３ａを加熱シールする蓋５とを備えている。また、中蓋４内には喫食用具として、例えば、２つに折り畳んだフォーク６が載置されている。
【００１６】
容器本体３は、例えば、紙製（表面にポリエチレン等が積層された耐水性を有する紙）であり、円形板状の底部７とその周囲に形成された逆円錐台形状の側面８とを備えており、側面８は底部７から開口部３ａに向けて外側に傾斜するテーパ面に形成されている。そして、側面８の開口部３ａには径方向外側に延びるフランジ部８ａがリング状に形成されている。
容器本体３は、合成樹脂で形成されてもよく、例えば、ポリプロピレンＰＰやポリエチレンＰＥ等からなり、圧空成形、真空成形、または射出成形等によって製造されてもよい。
【００１７】
中蓋４は、図２及び図３に示すように、円板状の底面１０と、その周囲に一体に形成された逆円錐台形状の周面部１１とを備えている。周面部１１は、底面１０から上端開口４ａに向けて外側に傾斜する第一テーパ面１２と、第一テーパ面１２の上端から径方向外側に拡径する段差部１３と、段差部１３から上端開口４ａに向けて内側に傾斜する第二テーパ面１４とで形成されている。
図３に示す例では、第二テーパ面１４は内側に傾斜するテーパ面であるが、第一テーパ面１２よりも傾斜角が小さければ外側に傾斜する構成であってもよい。
なお、段差部１３は中蓋４の上端開口４ａ近傍に形成されている。中蓋４において、上端開口４ａ近傍に段差部１３を形成して拡径することで成形時の型抜きを安定して行える。
【００１８】
また、中蓋４の内面には、底面１０と周面部１１との境界に内側に凸をなす凸部１６が同一高さで１または間隔を開けて複数、ここでは３個形成されている。各中蓋４に形成される凸部１６の間隔は各々異なっており、図４に示すように、複数の中蓋４をスタッキングさせた際、下側の中蓋４の凸部１６の上に上側の中蓋４の底面１０が載置可能であり、凸部１６同士が嵌合されないようになっている。しかも、下側の中蓋４の周面部１１における上端開口４ａの上に上側の中蓋４の段差部１３が載置されることで、複数の中蓋４は積層される。なお、凸部１６が１個または２個の場合、上側の中蓋４が安定する程度に長く形成する必要がある。
また、底面１０の中央には中央突起１７が突出して形成され、この中央突起１７を喫食者が把持することで容器本体３から中蓋４を取り外し及び取り付けすることができる。中央突起１７は中蓋４の上端開口４ａと同程度の高さまで延ばすことが可能であり、上端開口４ａより低くてもよい。中蓋４は、例えば、耐熱性の高いポリプロピレンＰＰのシートからなり、真空圧空成型、真空成型、圧空成型等によって製造可能であり、熱による変形を防止している。
【００１９】
また、喫食用具としてのフォーク６は、図５に示すように折り畳んだ状態で中蓋４内に載置可能とされている。このフォーク６について図６（ａ）及び（ｂ）により説明する。このフォーク６は先割れ部１９及び柄２０によって二つ折り可能とされており、先割れ部１９と柄２０とはヒンジ２１によって回動可能に接続されている。そして、柄２０には先端に突起部２０ａが形成され、先割れ部１９の基端に突起部２０ａを嵌合可能な凹部１９ａが形成されている。そのため、先割れ部１９と柄２０を接合すると、柄２０の突起部２０ａが先割れ部１９の凹部１９ａに嵌合されて直線状になる。
そして、フォーク６を適宜角度、例えば、鋭角に折り曲げた状態で、中蓋４の底面１０に載置することで中央突起１７と凸部１６との間に収まり、運搬時等に食品容器１を動かす際に、中蓋４内でフォーク６が移動すると凸部１６と中央突起１７との少なくともいずれかに当接することで移動が阻止される。そのため、フォーク６が移動する際の雑音が抑えられ、フォーク６の損傷も防止できる。
また、フォーク６は、例えば、耐熱性の高いポリプロピレンＰＰを用いてインジェクション成型によって製造することが好ましい。
【００２０】
上述のように本実施形態による食品容器１によれば、食品２を収容した容器本体３の開口部３ａに中蓋４を設置し、中蓋４内にフォーク６を折り曲げ状態で載置させたから、食品２とフォーク６が別個に収容されて衛生的である。また、調理用の湯を容器本体３内の食品２に注入して食品２の乾燥麺が加温されてほぐれるまで待つ間、フォーク６を中蓋４に載置できるから、手で持つ必要がなく邪魔にならず衛生的である。しかも容器本体３内の湯の熱に関わらず、中蓋４で容器本体３を密封できるため、閉じた蓋５が剥がれることを防止できると共に、蓋５を閉じなくても封止できる。
また、中蓋４を容器本体３から取り外す際、底面１０に設けた中央突起１７を持ち上げることで容易に容器本体３から離脱でき、中蓋４の装着も容易である。
【００２１】
また、中蓋４は底面１０に設けた３個の凸部１６と周面部１１に設けた段差部１３によって複数の中蓋４同士を積層してスタッキングすることができ、複数のスタッキングポイントを備えたからスタッキングが安定する。しかも、スタッキングに際し、中蓋４の周面部１１に段差部１３を設けて上下の中蓋４を、間隙を開けて積層したから、中蓋４の取り外しを安定して行える。
しかも、スタッキングに際して、中蓋４の底面１０に設けた３個の凸部１６はそれぞれ間隔が相違することで互いに嵌合することがなく、互いの取り外しが容易である。
なお、容器本体３に中蓋４を設けたことで、蓋５の材質としてその強度や遮光性についてより弱い材質（スペックダウン）を採用することができ、しかも容器本体３に湯を投入した後、中蓋４で密封できるので再閉時に蓋５は再閉しなくてもよく、或いは封止性の弱い材質を採用することができる。
【００２２】
なお、本発明は上述した実施形態に限定されるものではなく、本発明の要旨を逸脱しない限り種々の変更や置換等が可能である。以下、本発明の変形例について説明するが、上述した実施形態と同一または同様な部分、部品等には同一の符号を用いて説明を省略する。
【００２３】
次に本発明の実施形態による中蓋４の変形例を図７及び図８により説明する。
変形例による中蓋２２は周面部２３に段差部１３が設けられておらず、実施形態による周面部１１の第一テーパ面１２と同様に、底面１０から上端開口２２ａに向かって外側に傾斜する一様なテーパ面によって形成されている。しかも、周面部２３の上端開口２２ａには小幅なフランジ部２３ａが全周に形成されている。
この場合、容器本体３の開口部３ａ近くの内面に中蓋２２が嵌装されてフランジ部２３ａと周面部２３の下部が当接して支持される。中蓋２２のフランジ部２３ａが容器本体３の側面８の内面の開口部３ａ近傍に当接し、側面８の内面に周面部２３の下部が当接する。
そのため、この変形例でも、中蓋２２は周面部２３が容器本体３の内面に面接触しないから、容易に取り付けと取り外しができる。
【００２４】
なお、例えば、喫食用具としてフォーク６を２つに折り曲げた状態で中蓋４内に載置したが、折り曲げることなく延ばした使用状態で載置してもよく、或いは３つ折り等多数折りの形状で載置してもよい。
また、喫食用具はフォーク６に限定されず、スプーンや箸等、適宜の道具を載置することができる。その際、スープの袋やかやくの袋等、喫食用具以外の物品を調味類と定義して、調味類を中蓋４内に載置することもできる。また、調味類は喫食用具に代えて中蓋４、２２に載置させてもよい。
【００２５】
また、中蓋４，２２の底面１０に形成する凸部１６は周面部１１、２３の内面に形成したが、凸部１６は周面部１１、２３から離間していてもよく、フォーク６等の喫食用具を凸部１６によって位置ズレを抑えるよう支持できると共に、中蓋４、２２をスタッキングできればよい。
また、上述した実施形態等では、中蓋４、２２をスタッキングする部材として、底面１０の凸部１６と周面部１１の段差部１３とを設けたが、いずれか一方だけ設けてもよい。
また、上述した実施形態や変形例では、食品容器１を逆円錐台形状の容器本体３や中蓋４、２２を有するものとして説明したが、本発明はこのような構成に限定されるものではなく、例えば、断面逆四角錐台形状や逆六角錐台形状等の多角形錐台形状の容器本体３や中蓋４、２２を用いてもよい。
【産業上の利用可能性】
【００２６】
本発明による食品容器１は、即席麺等の食品２を収納した容器本体３の開口部３ａに中蓋４、２２を載置し、中蓋４，２２に喫食用具や調味類を載置することで、調理時に喫食用具が邪魔にならず、衛生的である。しかも、中蓋４、２２の底面１０に凸部１６を設けたから、喫食用具が凸部１６に当接して運搬時等に移動することを抑える。中蓋４、２２の周面部に形成した段差部１３や凸部１６に他の中蓋４、２２を載置することでスタッキングできる。
【符号の説明】
【００２７】
１  食品容器
２  食品
３  容器本体
４、２２  中蓋
５  蓋
６  フォーク
７  底部
８  側面
１０  底面
１１、２３  周面部
１３  段差部
１６  凸部
１７  中央突起
１９  先割れ部
２０  柄
【図１】
2014196138.tif 000003
【図２】
2014196138.tif 000004
【図３】
2014196138.tif 000005
【図４】
2014196138.tif 000006
【図５】
2014196138.tif 000007
【図６】
2014196138.tif 000008
【図７】
2014196138.tif 000009
【図８】
2014196138.tif 000010